(57)【要約】      （修正有）【課題】ランドセルの縫製工程の省力化と軽量化を図るランドセル用の帯片を提供する。【解決手段】教科書を収納する主収容部３と、主収容部３の前側に取付ける副収容部４と、小物を収容する前段ポケット部５とからなるランドセル本体２と、ランドセル本体２を覆う蓋板７と、ランドセル本体２を背負う背負ベルト９とにより構成されたランドセル１に取付ける帯片２１、５１であって、帯片を軽量で強度性と屈曲性を有した合成皮革または人工皮革により形成した表面シート地と、裏面シート地との間に接着剤を塗布して加熱圧着して形成し、表面に任意形状の装飾部を設けると共に、周縁部分を任意形状に溶断してなることを特徴とする。【選択図】図１
0003197300.tif 000002
【実用新案登録請求の範囲】
【請求項１】
教科書を収納する主収容部（３）と、該主収容部の前側に取付ける副収容部（４）と、小物を収容する前段ポケット部（５）とからなるランドセル本体（２）と、該ランドセル本体を覆う蓋板（７）と、前記ランドセル本体（２）を背負う背負ベルト（９）とにより構成されたランドセル（１）に取付ける帯片（１１、２１、３１、４１、５１）であって、該帯片を軽量で強度性と屈曲性を有した合成皮革または人工皮革により形成した表面シート地（１２、２２、３２、４２、５７）と、裏面シート地（１７、２７、３７、４４、５８）との間に接着剤（１８）を塗布して加熱圧着して形成し、該帯片の周縁部分を任意形状に溶断してなることを特徴とするランドセル用の帯片。
【請求項２】
前記帯片は、ランドセル本体（２）の主・副収容部（３、４）が広がるのを防止するために、ランドセルの上部に取付ける帯片（１１、２１、３１、４１）であることを特徴とする請求項１記載のランドセル用の帯片。
【請求項３】
前記帯片は、前記背負いベルト（９）の下部に取付ける帯片（５１）であることを特徴とする請求項１記載のランドセル用の帯片。
【請求項４】
前記帯片は、ランドセルの上部に取付ける帯片（１１、２１、３１、４１）と、前記背負いベルト（９）の下部に取付ける帯片（５１）であることを特徴とする請求項１ないし３のいずれか１記載のランドセル用帯片。
【請求項５】
前記ランドセルの上部に取付ける帯片（１１、２１、３１、４１）または背負いベルトの下部に取付ける帯片（５１）の溶断縁は、表面シート地（１２、２２、３２、４２、５７）の上端部に曲面部（１４、２４）を形成し、裏面シート地（１７、２７、３７、４４、５８）の下端部に角部（１５、２５）を設けてなることを特徴とする請求項１ないし４のいずれか１記載のランドセル用の帯片。
【請求項６】
前記ランドセルの上部に取付ける帯片（１１、２１、３１、４１）または背負いベルトの下部に取付ける帯片（５１）の表面に装飾部（１３、２３、３３、４３、５９）を設けてなることを特徴とする請求項１ないし４のいずれか１記載のランドセル用の帯片。
【請求項７】
前記ランドセルの上部に取付ける帯片（１１、２１、３１、４１）または背負いベルトの下部に取付ける帯片（５１）の表面に設けた装飾部（１３、２３、３３、４３、５９）は、外周縁に沿って形成した縫い目模様であることを特徴とする前記請求項１または６記載のランドセル用の帯片。
【請求項８】
前記ランドセルの上部に取付ける帯片（１１、２１、３１、４１）に設けた装飾部（１３、２３、３３、４３）は、花柄、動物柄、幾何学模様または漫画・アニメのキャラクター模様であることを特徴とする請求項１または６記載のランドセル用の帯片。
【請求項９】
前記ランドセルの上部に取付ける帯片（１１、２１、３１、４１）は、短尺方向両側端部を曲線形状に形成してなることを特徴とする請求項１、２、４のいずれか１記載のランドセル用の帯片。
【請求項１０】
前記ランドセルの上部に取付ける帯片（１１、２１、３１、４１）の曲線形状は、少なくとも片側形状が波形、山形または凹凸形状であることを特徴とする請求項１または９記載のランドセル用の帯片。
【考案の詳細な説明】
【技術分野】
【０００１】
本考案は、ランドセルに取付ける帯片の改良に関する。
【背景技術】
【０００２】
従来、ランドセルは、教科書やノートなどの大きなものを収容する主収容部と、計算用具などの各種教材を収容する副収容部と、内部に収容した給食費や教材費などのお金や大切なものが落下して紛失するのを防止するため、開口部にジッパーを取付けて開閉可能に形成した前ポケットからなるランドセル本体と、前記ランドセル本体を覆う蓋板と、前記ランドセル本体を背負う背負いベルトにより構成されているものが広く知られている。
【先行技術文献】
【特許文献】
【０００３】
【特許文献１】実用新案登録第３１９１０９９号公報
【特許文献１】実用新案登録第３１４０２１９号公報
【０００４】
一方、ランドセルには、前記構成の他、数多くの部材（なす環、Ｄ環、前締めベルト、マグネット錠など）により構成され、特に前締めベルトや背負いベルトを構成する下部ベルトは、多数の部品を縫製して形成するため多くの工程と、各部材を組立てする工程が複雑であることから熟練した技術を有する職人により縫製作業が行われている。そのため、ランドセルの縫製に時間がかかり非能率的であった。
【考案の概要】
【考案が解決しようとする課題】
【０００５】
そこで本考案は、ランドセル、特に人工皮革材、又は合成皮革材により形成する少数部材のうち、前締めベルトや下部ベルト（以下、帯片という）の縫製工程を簡単にして作業の能率化とランドセルの軽量化を図ると共に、前記帯片に装飾性を持たせることによりランドセルの差別化を図り、消費者の購買意欲を刺激することを課題とするものである。
【課題を解決するための手段】
【０００６】
本考案は上記課題を達成するため、教科書を収納する主収容部３と、該主収容部の前側に取付ける副収容部４と、小物を収容する前段ポケット部５とからなるランドセル本体２と、該ランドセル本体を覆う蓋板７と、前記ランドセル本体２を背負う背負ベルト９とにより構成されたランドセル１に取付ける帯片１１、２１、３１、４１、５１であって、該帯片を軽量で強度性と屈曲性を有した合成皮革または人工皮革により形成した表面シート地１２、２２、３２、４２、５７と、裏面シート地１７、２７、３７、４４、５８との間に接着剤１８を塗布して加熱圧着して形成し、該帯片の周縁部分を任意形状に溶断してなることを特徴とする。また、前記帯片は、ランドセル本体２の主・副収容部３、４が広がるのを防止するために、ランドセルの上部に取付ける帯片１１、２１、３１、４１であることを特徴とする。さらに、前記帯片は、前記背負いベルト９の下部に取付ける帯片５１であることを特徴とする。さらにはまた、前記帯片は、ランドセルの上部に取付ける帯片１１、２１、３１、４１と、前記背負いベルト９の下部に取付ける帯片５１であることを特徴とする。また、前記ランドセルの上部に取付ける帯片１１、２１、３１、４１または背負いベルトの下部に取付ける帯片５１の溶断縁は、表面シート地１２、２２、３２、４２、５７の上端部に曲面部１４、２４を形成し、裏面シート地１７、２７、３７、４４、５８の下端部に角部１５、２５を設けてなることを特徴とする。さらに、前記ランドセルの上部に取付ける帯片１１、２１、３１、４１または背負いベルトの下部に取付ける帯片５１の表面に装飾部１３、２３、３３、４３、５９を設けてなることを特徴とする。さらにはまた、前記ランドセルの上部に取付ける帯片１１、２１、３１、４１または背負いベルトの下部に取付ける帯片５１の表面に設けた装飾部１３、２３、３３、４３、５９は、外周縁に沿って形成した縫い目模様であることを特徴とする。また、前記ランドセルの上部に取付ける帯片１１、２１、３１、４１に設けた装飾部１３、２３、３３、４３は、花柄、動物柄、幾何学模様または漫画・アニメのキャラクター模様であることを特徴とする。さらに、前記ランドセルの上部に取付ける帯片１１、２１、３１、４１は、短尺方向両側端部を曲線形状に形成してなることを特徴とする。さらにはまた、前記ランドセルの上部に取付ける帯片１１、２１、３１、４１の曲線形状は、少なくとも片側形状が波形、山形または凹凸形状であることを特徴とする。
【０００７】
したがって、本考案のランドセルの上部に取付ける帯片１１、２１、３１、４１または背負いベルトの下部に取付ける帯片５１は、人工皮革材からなる表地シート地１２、２２、３２、４２、５７と裏面シート地１７、２７、３７、４４、５８との間に接着剤１８を塗布して加熱圧着すると同時に、周縁部分を任意形状に溶断加工して形成し、且つ、該帯片の表面シート地１２、２２、３２、４２、５７に装飾部１３、２３、３３、４３、５９を同時に形成することにより、帯片の加熱圧着工程と表面装飾工程を同時に行うことができるので、帯片の縫製工程を省略化することができ、また、帯片の表面シート地に斬新なデザインを有する装飾部１３、２３、３３、４３、５９を設けたことにより、ランドセルを購買する消費者の購買意欲を一層惹起させることができる。  
【図面の簡単な説明】
【０００８】
【図１】本考案に係るランドセルの斜視図である。
【図２】ランドセルの上部に取付ける第１の帯片の平面図である。
【図３】ランドセルの上部に取付ける第２の帯片の平面図である。
【図４】図３のＡ‐Ａ線拡大断面図である。
【図５】ランドセルの上部に取付ける第３の帯片の平面図である。
【図６】図５のＢ‐Ｂ線拡大断面図である。
【図７】ランドセルの上部に取付ける第４の帯片の平面図である。
【図８】図７のＣ‐Ｃ線拡大断面図である。
【図９】（ａ）は第５の帯片の平面図、（ｂ）は第６の帯片の平面図、（ｃ）は第７の帯片の平面図、（ｄ）は第８の帯片の平面図である。
【図１０】背負いベルトの下部に取付ける帯片の平面図である。
【図１１】背負いベルトの下部に取付ける帯片の下部シートの平面図である。
【図１２】背負いベルトの下部に取付ける帯片の上部シートの平面図である。
【図１３】図１１のＤ―Ｄ線断面図である。
【考案を実施するための形態】
【０００９】
本考案の実施の形態を図面に基づいて説明すると、図１は本考案に係るランドセルの斜視図、図２はランドセルの上部に取付ける第１の帯片の平面図、図３はランドセルの上部に取付ける第２の帯片の平面図、図４は図３のＡ‐Ａ線拡大断面図、図５はランドセルの上部に取付ける第３の帯片の平面図、図６は図５のＢ‐Ｂ線拡大断面図、図７はランドセルの上部に取付ける第４の帯片の平面図、図８は図７のＣ‐Ｃ線拡大断面図である。このランドセル１は図１に示すごとく、合成皮革または人工皮革で形成したランドセル本体２と、被せ蓋板７と、背負ベルト９とにより構成されている。
【００１０】
ランドセル本体２は、図１に示すごとく、教科書やノートや筆箱などを収納する大きな主収容部３と、該主収容部の前側に取付ける学習用具などを入れる小さな副収容部４と、大切な小物を収容する前段ポケット部５とからなり、前記ランドセル本体２の側面には、前記主・副収容室３、４が広がるのを防止するため、ランドセルの上部（主・副収容室の側面から正面側）に帯片１１、２１、３１、４１を取付けてある。
【００１１】
前記したランドセルの上部に取付ける帯片１１、２１、３１、４１は、軽量で強度性と屈曲性を有する合成皮革材または人工皮革材からなる表面シート地１２、２２、３２、４２、５７と、裏面シート地１７、２７、３７、４４、５８からなり、人工皮革材は、不織布の表面にポリウレタン樹脂材をコーテイングしてなる公知の人工皮革で、例えば、株式会社クラレが製造販売する商品名「クラリーノ」（登録商標）、株式会社帝人コードレが製造販売する商品名「コードレ」（登録商標）または株式会社クラレが製造販売する商品名「アマレッタ」（登録商標）などを使用することが望ましい。
【００１２】
前記ランドセルの上部に取付ける帯片１１、２１、３１、４１の加工は、表面シート地１２、２２、３２、４２の裏面と、裏面シート地１７、２７、３７、４４の裏面全体に接着剤１８を塗布して加熱圧着すると同時に使用目的に合わせた形状に溶断加工を行うことにより形成する。前記接着剤１８は、公知のウレタン系ホットメルトを使用することが望ましい。また、接着剤１８をシート地全面に塗布したことにより接着力が強くなり、前記帯片１１、２１、３１、４１が経年変化して劣化しても剥離する恐れがなく長期間使用することができる。
【００１３】
前記表面シート地１２、２２、３２、４２および裏面シート地１７、２７、３７、４４の加熱圧着加工と溶断加工は、公知の高周波による誘電加熱加工、好ましくは、高周波ウエルダー加工により行う。前記表面シート地１２、２２、３２、４２の表面に設けた装飾部１３、２３、３３、４３は、前記加熱圧着加工と同時に表面シート地１２、２２、３２、４２に形成する。前記加熱圧着・溶断加工により形成するランドセルの上部に取付ける帯片１１、２１、３１、４１は、ランドセル１の種類により多種多様な形状に形成することができる。
【００１４】
ランドセルの上部に取付ける帯片のうち、図２、４に示す第１の帯片１１は、短尺方向の両端を並行な直線状に形成し、表面シート地１２の、溶断縁を湾曲させた曲面部１４を形成し、裏面シート地１７の端部を直角にした角部１５を設けてある。図４に示すごとく、第１の帯片１１の表面シート地１２の上端縁をアール状に湾曲させた曲面部１４を形成することにより、第１の帯片１１は、全体がふっくらとした柔らかを表現することができる。特に女子用のランドセルに取付けた場合、第１の帯片１１は、表面のふっくらとした感じが「かわいさ」としてアピールすることができる。さらには、第１の帯片１１は、裏面シート地１７の下端を直角に切断した角部１５を設けたことにより、第１の帯片全体に機能的な美しさを表現することができる。  
【００１５】
図３、４に示すランドセルの上部に取付ける第２の帯片２１は、全体を長尺な帯状に形成した短尺方向の溶断縁を、前記直線以外の曲線またはジグザグ形状に形成してある。前記曲線形状は、図３に示す長手方向の上下両端を対称的な波形の連続形状にする他、図９ａに示すごとく、上下幅を対称的で連続的に伸縮させた形状の第５の帯片４５、または、図９ｂに示すごとく、長手方向を同一幅の大波状に連続させて形成した第６の帯片４６、さらに、図９ｃに示すごとく、上下両端幅を対称的な山形形状を連続させて形成した第７の帯片４７、さらにはまた、図９ｄに示すごとく、長手方向を同一幅でジグザグ形状に連続させて形成した第８の帯片４８のごとく、帯片の形状パターンを斬新なデザインにして多様化することにより、消費者の購買意欲を刺激してランドセルの購買意欲をより一層惹起させることができる。
【００１６】
また、第２の帯片２１は、溶断縁を例えば、対称的な波形形状にすると同時に図４に示すごとく、前記第１の帯片１１と同様に表面シート地２２の上端縁をアール状に湾曲させた曲面部２４を設けたことにより、第２の帯片２１の全体がふっくらとした柔らかを表現すことができる。このふっくらとした柔らかさが、前記したごとく、女の子には「かわいさ」としてアピールすることができる。さらにはまた、図４に示すごとく、第２の帯片２１の裏面シート地２７の下端を直角に溶断した角部２５を設けたことにより、第２の帯片２１の全体に機能的な美しさを表現することができる。
【００１７】
図５、６に示すランドセルの上部に取付けた第３の帯片３１は、長手方向を前記第１、２の帯片１１、２１と同様に直線状または曲線状に形成し、表面シート３２に装飾部３３を設けてある。この装飾部３３は、例えば、表面シート地３２と裏面シート地３７を糸で縫い合わせた形状の縫目模様に形成する。この縫目模様は、第３の帯片３１を加工すると同時に加熱圧着して形成する。さらに、第３の帯片３１には、前記第１、２の帯片１１、２１と同様に表面シート地３２の上端縁を湾曲させた曲面部１４と、裏面シート地３７の下端を直角な角部１５を設けて形成してもよい。
【００１８】
前記第３の帯片３１の装飾部３３を前記したごとく、表面シート地３２と裏面シート地３７を糸で縫い合わせた縫目模様にすることで、外観上は糸で縫い合わせ形状の高級感を表現することができる。さらに、ランドセルの高級感は消費者の購買意欲を増進させることができる。さらにはまた、表面シート地３２と裏面シート地３７との縫製工程を省略することができるので、作業の能率化とランドセルの軽量化を図ることができる。
【００１９】
図７、８に示すランドセルの上部に取付ける第４の帯片４１は、前記第１、２の帯片１１、２１と同様に長手方向を直線状または曲線状に形成し、表面シート地４２に装飾部４３を設けてある。この装飾片４３は、表面シート地４２の表面全体または任意個所に花柄、動物模様、幾何学模様またはアニメや漫画のキャラクター模様を溶断加工と同時に加熱圧着して形成してある。
【００２０】
この表面シート４２に設けた装飾部４３は、男子又は女子の好きな斬新なデザインを施すことにより、ランドセルに高級感を持たせて消費者の購買意欲をより一層惹起させることができる。また、第４の帯片４１は、前記第１、２の帯片１１、２１と同様に、表面シート地４２の上端縁を湾曲させた曲面部１４と、裏面シート地４４の下端を直角にした角部１５を設けてもよい。
【００２１】
前記ランドセル１の背負いベルト９の下部に取付ける帯片５１は、図１０、１１、１２、１３に示すごとく、上部シート５２と下部シート５３とからなり、一端にランドセル１の底面に設けた被せ蓋７を止めるマグネット錠（図示せず）の左右両端に回転可能に取付けるだるま環５５を取付け、他端に背負いベルト９の上部ベルト５０と連結する尾錠５６を取付けてある。
【００２２】
前記背負いベルト９の下部に取付ける帯片５１を構成する上部シート５２と下部シート５３は、軽量で強度性と屈曲性を有する合成皮革材または人工皮革材からなる表面シート地５７と、裏面シート地５８からなり、人工皮革材は、前記ランドセルの上部に取付ける第１〜４の帯片１１、２１、３１、４１と同様であり、説明が重複するためここでの説明を省略する。
【００２３】
この背負いベルト９の下部に取付ける帯片５１の加工は、上部シート５２と下部シート５３を構成する表面シート地５７の裏面と、裏面シート地５８の裏面全体に接着剤１８を塗布して加熱圧着すると同時に、取付けるランドセルの形状に合わせて周縁を溶断加工して上部シート５２と下部シート５３を形状し、且つ、上部シート５２と下部シート５３の表面に任意形状の装飾部５９を設けてある。
【００２４】
前記表面シート地５７と裏面シート地５８を接着する接着剤１８は、公知のウレタン系ホットメルトを使用することがこのましい。また、接着剤１８をシート地全面に塗布したことにより接着力が強くなり、下部帯片５１が経年変化して劣化しても剥離する恐れがなく長期間使用することができる。
【００２５】
前記背負いベルト９の下部に取付ける帯片５１に設けた装飾部５９は、図１０、１１、１２に示すごとく、例えば、表面シート地５７と裏面シート地５８を糸で縫い合わせた形状の縫目模様を形成してある。前記帯片５１を構成する上部シート５２と下部シート５３のそれぞれ表面シート地５７に、外観上は糸で縫い合わせ形状の縫目模様を形成したことにより、ランドセルに高級感を表現することができるので消費者の購買意欲を増進させることができる。
【００２６】
さらには、前記上部シート５２または下部シート５３に縫い目模様を設けたことにより、表面シート地３２と裏面シート地３７とを縫い合わせる縫製工程を省略することができる。したがって、縫製作業の能率化とランドセルの軽量化を図ることができる。また、上部シート５２または下部シート５３の表面シート地５７に、前記第１、２の帯片１１、２１と同様に曲面部１４と、裏面シート地３７の下端に角部１５を設けて形成してもよい。
【００２７】
以下本考案の実施の形態の作用について説明すると、ランドセルの上部に取付ける第１の帯片１１は、全体を長尺な帯状に形成し、表面シート地１２の上端縁に曲面部１４を形成し、裏面シート地１７の下端縁に角部１５を設けてある。
【００２８】
したがって、第１の帯片１１の表面シート地１２に曲面部１４を形成したことにより、第１の帯片１１は、全体をふっくらとした柔らかを表現すことができることから、特に女子用のランドセルに取付けた場合、帯片１１のふっくらとした軟らかさが「かわいさ」としてアピールすることができる。さらには、第１の帯片１１の裏面シート地１７の下端に角部１５を設けたことにより、第１の帯片１１全体に機能的な美しさを表現することができる。
【００２９】
ランドセルの上部に取付ける第２の帯片２１は、短尺方向の両端に対称的な波形の曲線形状に形成し、表面シート地２２の上端縁に曲面部２４を形成し、裏面シート地２７の下端縁に角部２５を設けて形成してある。したがって、前記第２の帯片２１の全体を斬新な波形の曲線を連続して形成したこと、および、表面に曲面部２４を設けたことにより、第２の帯片２１は、波形形状と全体をふっくらとした柔らかを表現すことができる。このふっくらとした柔らかさが、前記したごとく、女子用ランドセルの上部に取付ける帯片として「かわいさ」をアピールすることができる。さらには、第２の帯片２１の裏面シート地２７の下端に角部２５を設けたことにより、第２の帯片２１の全体に機能的な美しさを表現することもできる。  
【００３０】
ランドセルの上部に取付ける第３の帯片３１は、前記第１、２の帯片１１、２１と同様に直線状または波形の曲線状に形成すると同時に、表面シート地３２の上端周縁に縫い目模様の装飾部３３を形成してある。したがって、ランドセル１に取付ける第３の帯片３１は、実際は縫製加工を施さなくても縫製した製品であるかの如く見えるので、ランドセルに高級感を持たせて消費者の購買意欲をより一層惹起させることができる。さらに、縫目模様を加熱圧着して形成するため、縫製工程が不要であることから作業の効率化を図ることができると共に、ランドセルの軽量化、さらにはコストの軽減を図ることができ経済的である。
【００３１】
この第３の帯片３１は、前記第１、２の帯片１１、２１と同様に表面シート地３２の上端縁に曲面部を設けてふっくらとした柔らかを表現すこと、および、裏面シート地３７の下端縁に角部を設けることにより第３の帯片３１全体に機能的な美しさを表現することができる。
【００３２】
ランドセルの上部に取付ける第４の帯片４１は、前記第１、２の帯片１１、２１と同様に全体を直線形状または斬新な波形の連続曲線形状に形成し、表面シート地４２に花柄、動物模様、幾何学模様またはアニメや漫画のキャラクター模様などからなる装飾部４３を加熱圧着して形成してある。
【００３３】
したがって、第４の帯片４１の表面シート地４２に設けた装飾部４３は、男子又は女子の好きな斬新なデザインを施すことにより、ランドセルに高級感を持たせて消費者の購買意欲をより一層惹起させることができる。また、この第４の帯片４１は、前記第１、２の帯片１１、２１と同様に表面シート地３２の上端縁をアール状の曲面部を設けてふっくらとした柔らかを表現し、裏面シート地４４の下端縁に角部を設け機能的な美しさを表現してもよい。
【００３４】
前記した装飾部３３、４３は、第３、４の帯片３１、４１についてのみ説明したが、前記第１、２の帯片１１、２１の表面に設けた装飾部１３、２３にも同様に形成することができるのは勿論である。また、ランドセル１の上部に取付ける帯片の形状は、前記第１から第４の帯片１１、２１、３１、４１の他、図９に示すごとく、伸縮形、大波形、山形、ジグザグ形など多様な形状の第５〜８の帯片４５、４６、４７、４８に形成することにより、ランドセルに高級感を持たせて消費者の購買意欲をより一層惹起させることができる。
【００３５】
背負いベルトの下部に取付ける帯片５１は、上部シート５２と下部シート５３を形成する表面シート地５７と裏面シート地５８をそれぞれ加熱圧着すると同時に全体を任意形状に溶断し、表面シート地５７の周縁に装飾部５９を形成してある。また、この背負いベルト９の下部に取付ける帯片５１は、前記装飾部５９の他、前記した第１〜４の帯片１１、２１、３１、４１と同様に上縁に曲面部１４を設けてふっくらとした柔らかを表現し、裏面シート地５８の端部に角部１５を設けて機能的な美しさを表現してもよい。
【００３６】
この背負いベルト９の下部に取付ける帯片５１に設けた装飾部５９は、上部シート５２と下部シート５３の周縁に縫目模様を形成してある。実際は縫製加工を施さなくても縫製した製品であるかの如く見えるため、ランドセルに高級感を持たせて消費者の購買意欲をより一層惹起させることができる。さらに、この縫目模様を加熱圧着して形成してあるため、実際の縫製工程が不要であることから作業の効率化を図ることができると共に、ランドセルの軽量化、さらにはコストの軽減を図ることができ経済的である。
【符号の説明】
【００３７】
１    ランドセル  
２    ランドセル本体
３    主収容部  
４    副収容部
５    前段ポケット部
７    被せ蓋板
９    背負いベルト
１１  ランドセルの上部に取付ける第１の帯片
１２  表面シート地
１３  装飾部
１４  曲面部
１５  角部
１７  裏面シート地
１８  接着剤
２１  ランドセルの上部に取付ける第２の帯片
２２  表面シート地
２３  装飾部
２４  曲面部
２５  角部
２７  裏面シート地
３１  ランドセルの上部に取付ける第３の帯片
３２  表面シート地
３３  装飾部
３７  裏面シート地
４１  ランドセルの上部に取付ける第４の帯片
４２  表面シート地
４３  装飾部
４４  裏面シート地
５１  背負いベルトの下部に取付ける帯片
５２  上部シート
５３  下部シート
５５  だるま環
５６  尾錠
５７  表面シート地
５８  裏面シート地
５９  装飾部
【図１】
0003197300.tif 000003
【図２】
0003197300.tif 000004
【図３】
0003197300.tif 000005
【図４】
0003197300.tif 000006
【図５】
0003197300.tif 000007
【図６】
0003197300.tif 000008
【図７】
0003197300.tif 000009
【図８】
0003197300.tif 000010
【図９】
0003197300.tif 000011
【図１０】
0003197300.tif 000012
【図１１】
0003197300.tif 000013
【図１２】
0003197300.tif 000014
【図１３】
0003197300.tif 000015